(57)【要約】【課題】表示すべき画像を閲覧時の状況に応じて自動的に選別することができる画像表示装置の技術を提供する。【解決手段】デジタルカメラ１００は、画像データを記憶する記憶部１０１と、画像を表示する表示部１０７と、表示指示を受け付ける表示指示受付部１０６と、被写体を撮像し、画像データを生成する撮像部１０２と、記憶部１０１に記憶されている記憶画像データからその記憶画像に含まれる第１の特徴を検出する第１の検出部１０３と、撮像部１０２で生成された撮像画像データからその撮像画像に含まれる第２の特徴を検出する第２の検出部１０４と、表示指示が受け付けられると表示指示後に生成された撮像画像データから検出された第２の特徴と記憶画像データから検出された第１の特徴とを比較し、比較した結果に基づいて記憶画像を表示部１０７に表示させるか否かを制御する表示制御部１０５と、を備える。【選択図】図１
2014036344.tif 000002
【特許請求の範囲】
【請求項１】
画像データを記憶する記憶部と、
画像を表示する表示部と、
前記表示部へ画像を表示させるための表示指示を受け付ける表示指示受付部と、
被写体を撮像し、画像データを生成する撮像部と、
前記記憶部に記憶されている画像データである記憶画像データから、前記記憶画像データに基づく画像である記憶画像に含まれる第１の特徴を検出する第１の検出部と、
前記撮像部で生成された画像データである撮像画像データから、前記撮像画像データに基づく画像である撮像画像に含まれる第２の特徴を検出する第２の検出部と、
前記表示指示受付部で前記表示指示が受け付けられると、前記表示指示後に生成された前記撮像画像データから前記第２の検出部により検出された前記第２の特徴と前記記憶画像データから前記第１の検出部により検出された前記第１の特徴とを比較し、比較した結果に基づいて、前記記憶画像を前記表示部に表示させるか否かを制御する表示制御部と、を備える
ことを特徴とする画像表示装置。
【請求項２】
請求項１に記載の画像表示装置において、
前記表示制御部は、前記第２の特徴と一致する前記第１の特徴を含む前記記憶画像データに基づく前記記憶画像のみを前記表示部に表示させる
ことを特徴とする画像表示装置。
【請求項３】
請求項２に記載の画像表示装置において、
前記第２の検出部は、前記撮像部が繰り返し被写体を撮像している期間、前記撮像部で前記撮像画像データが生成される毎に、前記第２の特徴を検出し、
前記表示制御部は、前記撮像部が繰り返し被写体を撮像している期間、前記第２の検出部で検出された前記第２の特徴と前記第１の検出部で検出された前記第１の特徴とを比較し、比較した結果に基づいて、前記記憶画像を前記表示部に表示させるか否かを制御する
ことを特徴とする画像表示装置。
【請求項４】
請求項１乃至請求項３のいずれか１項に記載の画像表示装置において、
前記記憶画像データは、画像を表示するための表示用データと、前記表示用データに付随する付随データとからなり、
前記第１の検出部は、前記記憶画像データの前記表示用データから、前記第１の特徴を検出する
ことを特徴とする画像表示装置。
【請求項５】
請求項１乃至請求項３のいずれか１項に記載の画像表示装置において、
前記記憶画像データは、画像を表示するための表示用データと、前記表示用データに付随する付随データとからなり、
前記第１の検出部は、前記記憶画像データの前記付随データから、前記第１の特徴を検出する
ことを特徴とする画像表示装置。
【請求項６】
請求項１乃至請求項５のいずれか１項に記載の画像表示装置において、
前記第２の検出部は、前記撮像画像データから、前記撮像画像に含まれる被写体の外観的な特徴である前記第２の特徴を検出する
ことを特徴とする画像表示装置。
【請求項７】
請求項６に記載の画像表示装置において、
前記第１の検出部は、前記記憶画像データから、前記記憶画像に含まれる被写体の外観的な特徴である前記第１の特徴を検出する
ことを特徴とする画像表示装置。
【請求項８】
請求項１乃至請求項５のいずれか１項に記載の画像表示装置において、
前記第２の検出部は、前記撮像画像データから、前記撮像画像の撮影シーンの特徴である前記第２の特徴を検出する
ことを特徴とする画像表示装置。
【請求項９】
請求項８に記載の画像表示装置において、
前記第１の検出部は、前記記憶画像データから、前記記憶画像の撮影シーンの特徴である前記第１の特徴を検出する
ことを特徴とする画像表示装置。
【請求項１０】
請求項１乃至請求項５のいずれか１項に記載の画像表示装置において、
前記第２の検出部は、前記撮像画像データから、前記撮像画像に含まれる被写体の生体情報と関連付けられた前記第２の特徴を検出する
ことを特徴とする画像表示装置。
【請求項１１】
請求項１０に記載の画像表示装置において、
前記第２の検出部は、前記撮像画像データから、前記撮像画像に含まれる被写体の生体情報を検出し、検出された前記生体情報に基づいて前記撮像画像に含まれる前記被写体の精神状態を示す前記第２の特徴を検出する
ことを特徴とする画像表示装置。
【請求項１２】
請求項１１に記載の画像表示装置において、さらに、
前記第２の検出部で検出された前記撮像画像に含まれる被写体の精神状態を示す前記第２の特徴に応じて、前記記憶画像データを加工する画像処理部を備え、
前記表示部は、前記画像処理部で加工された前記記憶画像データに基づく前記記憶画像を表示する
ことを特徴とする画像表示装置。
【請求項１３】
請求項１０乃至請求項１２のいずれか１項に記載の画像表示装置において、
前記第１の検出部は、前記記憶画像データから、前記記憶画像が周囲に与える印象を示す前記第１の特徴を検出する
ことを特徴とする画像表示装置。
【請求項１４】
請求項１乃至請求項５のいずれか１項に記載の画像表示装置において、
前記第２の検出部は、前記撮像画像データから、前記撮像画像に含まれる被写体の生体情報である前記第２の特徴を検出する
ことを特徴とする画像表示装置。
【請求項１５】
請求項１４に記載の画像表示装置において、
前記第１の検出部は、画像を表示するための表示用データと前記表示用データに付随する付随データとからなる前記記憶画像データから、前記付随データとして記憶されている、生体情報により規定される前記記憶画像の表示条件である前記第１の特徴を検出する
ことを特徴とする画像表示装置。
【請求項１６】
請求項１４または請求項１５に記載の画像表示装置において、さらに、
前記第２の検出部で検出された前記撮像画像に含まれる被写体の生体情報に応じて、前記記憶画像データを加工する画像処理部を備え、
前記表示部は、前記画像処理部で加工された前記記憶画像データに基づく前記記憶画像を表示する
ことを特徴とする画像表示装置。
【請求項１７】
請求項１０乃至請求項１６のいずれか１項に記載の画像表示装置において、
前記第２の検出部で検出された前記被写体の生体情報は、被写体の脈拍数、呼吸数、または、表情情報のうちの少なくとも一つを含む
ことを特徴とする画像表示装置。
【請求項１８】
請求項１乃至請求項５のいずれか１項に記載の画像表示装置において、さらに、
前記撮像画像に含まれる被写体の生体情報を取得する生体情報取得部と、
画像を表示するための表示用データと前記表示用データに付随する付随データとからなる前記記憶画像データから、前記付随データとして前記記憶部に記憶されている前記記憶画像に含まれる被写体の生体情報を検出する第３の検出部と、を含み、
前記表示制御部は、前記表示指示受付部で前記表示指示が受け付けられると、前記生体情報取得部で取得された被写体の生体情報と前記第３の検出部で前記記憶画像データから検出された被写体の生体情報に基づいて、前記記憶画像を前記表示部に表示させるか否かを制御する
ことを特徴とする画像表示装置。
【請求項１９】
請求項１乃至請求項５のいずれか１項に記載の画像表示装置において、さらに、
前記撮像画像に含まれる被写体の生体情報を取得する生体情報取得部と、
画像を表示するための表示用データと前記表示用データに付随する付随データとからなる前記記憶画像データから、前記付随データとして記憶されている生体情報により規定される前記記憶画像の表示条件を検出する第３の検出部と、を含み、
前記表示制御部は、前記表示指示受付部で前記表示指示が受け付けられると、前記生体情報取得部で取得された被写体の生体情報が満たす前記表示条件が検出された前記記憶画像データに基づく前記記憶画像のみを前記表示部に表示させる
ことを特徴とする画像表示装置。
【請求項２０】
請求項１乃至請求項５のいずれか１項に記載の画像表示装置において、さらに、
前記撮像部が被写体を撮像して前記撮像画像データを生成するときの環境である撮像環境に関するデータを取得する撮像環境取得部と、
画像を表示するための表示用データと前記表示用データに付随する付随データとからなる前記記憶画像データから、前記付随データとして前記記憶部に記憶されている撮像環境に関するデータを検出する第３の検出部と、を含み、
前記表示制御部は、前記表示指示受付部で前記表示指示が受け付けられると、前記撮像環境取得部で取得された撮像環境に関するデータと前記第３の検出部で前記記憶画像データから検出された撮像環境に関するデータに基づいて、前記記憶画像を前記表示部に表示させるか否かを制御する
ことを特徴とする画像表示装置。
【請求項２１】
請求項２０に記載の画像表示装置において、
前記第３の検出部で前記記憶画像データから検出された撮像環境に関するデータは、撮像環境により規定される前記記憶画像の表示条件であり、
前記表示制御部は、前記表示指示受付部で前記表示指示が受け付けられると、前記撮像環境取得部で取得された撮像環境に関するデータが満たす前記表示条件が検出された前記記憶画像データに基づく前記記憶画像のみを前記表示部に表示させる
ことを特徴とする画像表示装置。
【請求項２２】
請求項２０または請求項２１に記載の画像表示装置において、
前記撮像環境取得部で取得された撮像環境に関するデータは、前記撮像部が被写体を撮像して前記撮像画像データを生成するときの撮像日時、撮像位置、音声、または、気象のうちの少なくとも１つに関するデータを含む
ことを特徴とする画像表示装置。
【請求項２３】
請求項２０に記載の画像表示装置において、
前記表示制御部は、前記表示指示受付部で前記表示指示が受け付けられると、前記撮像環境取得部で取得された撮像環境に関するデータと前記第３の検出部で前記記憶画像データから検出された撮像環境に関するデータを比較し、比較した結果に基づいて、前記記憶画像を前記表示部に表示させるか否かを制御する
ことを特徴とする画像表示装置。
【請求項２４】
請求項２３に記載の画像表示装置において、
前記撮像環境取得部で取得された撮像環境に関するデータは、前記撮像部が被写体を撮像して前記撮像画像データを生成した日時である第１の撮像日時に関するデータであり、
前記第３の検出部で前記記憶画像データから検出された撮像環境に関するデータは、前記記憶画像データに含まれる被写体を撮像した日時である第２の撮像日時に関するデータである
ことを特徴とする画像表示装置。
【請求項２５】
請求項２４に記載の画像表示装置において、
前記表示制御部は、前記第１の撮像日時との差分が所定範囲内にある前記第２の撮像日時に関するデータが検出された前記記憶画像データに基づく前記記憶画像のみを前記表示部に表示させる
ことを特徴とする画像表示装置。
【請求項２６】
請求項２４に記載の画像表示装置において、
前記表示制御部は、前記第１の撮像日時との月日部分の差分が所定範囲内にある前記第２の撮像日時に関するデータが検出された前記記憶画像データに基づく前記記憶画像のみを前記表示部に表示させる
ことを特徴とする画像表示装置。
【請求項２７】
請求項２３に記載の画像表示装置において、
前記撮像環境取得部で取得された撮像環境に関するデータは、前記撮像部が前記撮像画像データを生成するために被写体を撮像した位置である第１の撮像位置に関するデータであり、
前記第３の検出部で前記記憶画像データから検出された撮像環境に関するデータは、前記記憶画像データに含まれる被写体を撮像した位置である第２の撮像位置に関するデータである
ことを特徴とする画像表示装置。
【請求項２８】
請求項２７に記載の画像表示装置において、
前記表示制御部は、前記第１の撮像位置との差分が所定範囲内にある前記第２の撮像位置に関するデータが検出された前記記憶画像データに基づく前記記憶画像のみを前記表示部に表示させる
ことを特徴とする画像表示装置。
【請求項２９】
請求項２０乃至請求項２８のいずれか１項に記載の画像表示装置において、さらに、
前記撮像環境取得部で取得された撮像環境に関するデータに応じて、前記記憶画像データを加工する画像処理部を備え、
前記表示部は、前記画像処理部で加工された前記記憶画像データに基づく前記記憶画像を表示する
ことを特徴とする画像表示装置。
【請求項３０】
請求項１乃至請求項２９のいずれか１項に記載の画像表示装置において、
前記記憶画像データは、前記表示制御部による制御対象か否かを示す制御情報を含み、
前記表示制御部は、前記制御情報に基づいて、前記記憶画像を無条件で前記表示部に表示させる、または、非表示にする
ことを特徴とする画像表示装置。
【請求項３１】
請求項１乃至請求項３０のいずれか１項に記載の画像表示装置において、
前記表示制御部は、前記撮像画像を前記表示部に表示させる
ことを特徴とする画像表示装置。
【請求項３２】
画像データを取得する画像取得部と、
画像を表示する表示部と、
前記表示部へ画像を表示させるための表示指示を受け付ける表示指示受付部と、
被写体を撮像し、画像データを生成する撮像部と、
前記画像取得部により取得された画像データである取得画像データから、前記取得画像データに基づく画像である取得画像に含まれる第１の特徴を検出する第１の検出部と、
前記撮像部で生成された画像データである撮像画像データから、前記撮像画像データに基づく画像である撮像画像に含まれる第２の特徴を検出する第２の検出部と、
前記表示指示受付部で前記表示指示が受け付けられると、前記表示指示後に生成された前記撮像画像データから前記第２の検出部により検出された前記第２の特徴と前記取得画像データから前記第１の検出部により検出された前記第１の特徴とを比較し、比較した結果に基づいて、前記取得画像を前記表示部に表示させるか否かを制御する表示制御部と、を備える
ことを特徴とする画像表示装置。
【請求項３３】
請求項３２に記載の画像表示装置において、
前記画像取得部は、前記画像表示装置の外部から画像データを取得する
ことを特徴とする画像表示装置。
【請求項３４】
請求項３２に記載の画像表示装置において、
前記画像取得部は、画像データを記憶する記憶部である
ことを特徴とする画像表示装置。
【請求項３５】
表示部と撮像部と記憶部と表示制御部とを備えた画像表示装置の画像表示方法であって、
前記表示部に画像を表示させるための表示指示を受け付ける表示指示受付工程と、
前記撮像部で被写体を撮像し、撮像画像データを生成する撮像工程と、
前記表示指示工程後の前記撮像工程で生成された前記撮像画像データに基づく撮像画像の特徴と前記記憶部に記憶されている記憶画像データに基づく記憶画像の特徴とを比較して、比較した結果に基づいて、前記記憶画像を前記表示部に表示させるか否かを制御する表示制御工程と、を備える
ことを特徴とする画像表示方法。
【請求項３６】
表示部と撮像部と記憶部と表示制御部とを備えた画像表示装置に、
前記表示部に画像を表示させるための表示指示を受け付ける表示指示受付工程と、
前記撮像部で被写体を撮像し、撮像画像データを生成する撮像工程と、
前記表示指示工程後の前記撮像工程で生成された前記撮像画像データに基づく撮像画像の特徴と前記記憶部に記憶されている記憶画像データに基づく記憶画像の特徴とを比較して、比較した結果に基づいて、前記記憶画像を前記表示部に表示させるか否かを制御する表示制御工程と、を実行させる
ことを特徴とするプログラム。
【発明の詳細な説明】
【技術分野】
【０００１】
本発明は、画像表示装置、並びに、画像表示装置の画像表示方法及び画像表示プログラムに関し、特に、撮像手段を備えた画像表示装置、並びに、撮像手段を備えた画像表示装置の画像表示方法及び画像表示プログラムに関する。
【背景技術】
【０００２】
現在、撮影装置としてデジタルカメラが広く普及している。デジタルカメラでは、画像はデジタルデータとして管理されているため、画像取得後直ぐに取得した画像を表示することができる。即ち、デジタルカメラは、画像を取得する撮影装置であるとともに、取得した画像を表示する画像表示装置としても機能している。
【０００３】
このような画像表示装置であるデジタルカメラの分野では、取得した画像群に他人に見せたくない画像や表示すべきでない画像が含まれている場合に備えて、取得した画像に対して閲覧制限を付与する技術が提案されている。
【０００４】
閲覧制限を付与する技術としては、例えば、撮影時の位置情報をデジタル画像に埋め込んで閲覧制限を付与する技術が特許文献１に開示されている。
【先行技術文献】
【特許文献】
【０００５】
【特許文献１】国際公開第２００５／０９４０６４号パンフレット
【発明の概要】
【発明が解決しようとする課題】
【０００６】
特許文献１に開示される技術によれば、撮影が禁止されている位置で撮影された画像の表示を制限することができる。つまり、表示する画像の撮影時の状況に応じて表示すべき画像を選別することができる。しかしながら、表示すべき画像の選別は、必ずしも撮影時の状況に基づいて判断できるものではなく、閲覧時の状況に基づいて判断されるべき場合も存在する。
【０００７】
また、画像取得後に、閲覧制限を手作業で行なう場合、この作業は、非常に多くの時間を要する手間のかかる作業である。
【０００８】
以上のような実情を踏まえ、本発明は、表示すべき画像を閲覧時の状況に応じて自動的に選別することができる画像表示装置の技術を提供することを目的とする。
【課題を解決するための手段】
【０００９】
本発明の一態様は、画像データを記憶する記憶部と、画像を表示する表示部と、前記表示部へ画像を表示させるための表示指示を受け付ける表示指示受付部と、被写体を撮像し、画像データを生成する撮像部と、前記記憶部に記憶されている画像データである記憶画像データから、前記記憶画像データに基づく画像である記憶画像に含まれる第１の特徴を検出する第１の検出部と、前記撮像部で生成された画像データである撮像画像データから、前記撮像画像データに基づく画像である撮像画像に含まれる第２の特徴を検出する第２の検出部と、前記表示指示受付部で前記表示指示が受け付けられると、前記表示指示後に生成された前記撮像画像データから前記第２の検出部により検出された前記第２の特徴と前記記憶画像データから前記第１の検出部により検出された前記第１の特徴とを比較し、比較した結果に基づいて、前記記憶画像を前記表示部に表示させるか否かを制御する表示制御部と、を備える画像表示装置を提供する。
【００１０】
本発明の別の一態様は、画像データを取得する画像取得部と、画像を表示する表示部と、前記表示部へ画像を表示させるための表示指示を受け付ける表示指示受付部と、被写体を撮像し、画像データを生成する撮像部と、前記画像取得部により取得された画像データである取得画像データから、前記取得画像データに基づく画像である取得画像に含まれる第１の特徴を検出する第１の検出部と、前記撮像部で生成された画像データである撮像画像データから、前記撮像画像データに基づく画像である撮像画像に含まれる第２の特徴を検出する第２の検出部と、前記表示指示受付部で前記表示指示が受け付けられると、前記表示指示後に生成された前記撮像画像データから前記第２の検出部により検出された前記第２の特徴と前記取得画像データから前記第１の検出部により検出された前記第１の特徴とを比較し、比較した結果に基づいて、前記取得画像を前記表示部に表示させるか否かを制御する表示制御部と、を備える画像表示装置を提供する。
【００１１】
本発明のさらに別の一態様は、表示部と撮像部と記憶部と表示制御部とを備えた画像表示装置の画像表示方法であって、前記表示部に画像を表示させるための表示指示を受け付ける表示指示受付工程と、前記撮像部で被写体を撮像し、撮像画像データを生成する撮像工程と、前記表示指示工程後の前記撮像工程で生成された前記撮像画像データに基づく撮像画像の特徴と前記記憶部に記憶されている記憶画像データに基づく記憶画像の特徴とを比較して、比較した結果に基づいて、前記記憶画像を前記表示部に表示させるか否かを制御する表示制御工程と、を備える画像表示方法を提供する。
【００１２】
本発明のさらに別の一態様は、表示部と撮像部と記憶部と表示制御部とを備えた画像表示装置に、前記表示部に画像を表示させるための表示指示を受け付ける表示指示受付工程と、前記撮像部で被写体を撮像し、撮像画像データを生成する撮像工程と、前記表示指示工程後の前記撮像工程で生成された前記撮像画像データに基づく撮像画像の特徴と前記記憶部に記憶されている記憶画像データに基づく記憶画像の特徴とを比較して、比較した結果に基づいて、前記記憶画像を前記表示部に表示させるか否かを制御する表示制御工程と、を実行させるプログラムを提供する。
【発明の効果】
【００１３】
本発明によれば、表示すべき画像を閲覧時の状況に応じて自動的に選別することができる画像表示装置の技術を提供することができる。
【図面の簡単な説明】
【００１４】
【図１】本発明の実施例１に係るデジタルカメラの構成を示す図である。
【図２Ａ】本発明の実施例１に係るデジタルカメラに画像を表示するために行われる撮影の様子を示した図である。
【図２Ｂ】本発明の実施例１に係るデジタルカメラに画像が表示されている様子を示した図である。
【図３】本発明の実施例１に係るデジタルカメラの処理全体のフローチャートである。
【図４】本発明の実施例１に係るデジタルカメラの表示制御処理部分のフローチャートである。
【図５Ａ】本発明の実施例１に係るデジタルカメラの画像データの構成を説明するための図である。
【図５Ｂ】本発明の実施例１に係るデジタルカメラの画像データの別の構成を説明するための図である。
【図６Ａ】本発明の実施例２に係るデジタルカメラに画像が表示されている様子を示した図である。
【図６Ｂ】本発明の実施例２に係るデジタルカメラに画像が表示されている様子を示した別の図である。
【図７】本発明の実施例２に係るデジタルカメラの処理全体のフローチャートである。
【図８】本発明の実施例２に係るデジタルカメラのライブ撮影処理部分のフローチャートである。
【図９】本発明の実施例２に係るデジタルカメラの表示制御処理部分のフローチャートである。
【図１０】本発明の実施例３に係るデジタルカメラに画像が表示されている様子を示した図である。
【図１１】本発明の実施例３に係るデジタルカメラのライブ撮影処理部分のフローチャートである。
【図１２】本発明の実施例４に係るデジタルカメラの表示制御処理部分のフローチャートである。
【図１３】本発明の実施例５に係るデジタルカメラの表示制御処理部分のフローチャートである。
【図１４】表情情報と表情分類の関係を示した図である。
【図１５】脈拍数と脈拍分類の関係を示した図である。
【図１６】本発明の実施例５に係るデジタルカメラに記憶された記憶画像データに付与された感性タグを例示した図である。
【図１７】表情分類と感性タグの関係を示した図である。
【図１８】脈拍分類と感性タグの関係を示した図である。
【図１９】表情分類と脈拍分類と感性タグの関係を示した図である。
【図２０】本発明の実施例５に係るデジタルカメラの感性タグ付与処理のフローチャートである。
【図２１】本発明の実施例６に係るデジタルカメラの構成を示す図である。
【図２２】本発明の実施例７に係るデジタルカメラの構成を示す図である。
【図２３】本発明の実施例７に係るデジタルカメラの処理全体のフローチャートである。
【図２４】本発明の実施例７に係るデジタルカメラの表示制御処理部分のフローチャートである。
【図２５】本発明の実施例８に係るデジタルカメラの構成を示す図である。
【図２６】本発明の実施例９に係るデジタルカメラの表示制御処理部分のフローチャートである。
【図２７】本発明の実施例９に係るデジタルカメラの閲覧制限フラグ付与処理のフローチャートである。
【図２８】本発明の実施例１０に係るデジタルカメラの構成を示す図である。
【発明を実施するための形態】
【実施例１】
【００１５】
図１は、本実施例に係るデジタルカメラの構成を示す図である。図１を参照しながら、本実施例に係るデジタルカメラ１００の構成について説明する。
【００１６】
デジタルカメラ１００は、画像データを記憶する記憶部１０１と、被写体を撮像し画像データを生成する撮像部１０２と、第１の検出部１０３と、第２の検出部１０４と、画像を表示する表示部１０７と、表示部１０７へ画像を表示させるための表示指示を受け付ける表示指示受付部１０６と、表示部１０７を制御する表示制御部１０５と、を備えた画像表示装置である。
【００１７】
記憶部１０１は、例えば、ＲＯＭ（Read Only Memory）やＲＡＭ（Random Access Memory）などの半導体メモリ、ＨＤＤ（Hard disk drive）などである。記憶部１０１は、デジタルカメラ１００の内部に固定されていてもよく、または、取り外し可能に提供されてもよい。記憶部１０１に記憶されている画像データ（以降、記憶画像データと記す）は、撮像部１０２が生成した画像データであってもよく、また、他の撮像手段により生成された画像データであってもよい。また、記憶画像データは、静止画の画像データでも動画の画像データでもよい。記憶部１０１には、記憶画像データに加えて、デジタルカメラ１００を動作させるためのプログラム（例えば、オペレーションシステムやアプリケーションソフトウェアなど）やその他プログラムの実行に必要な各種データも記憶されている。即ち、記憶部１０１は、プログラムを記録したコンピュータ読み取り可能な記録媒体である。
【００１８】
撮像部１０２は、例えば、ＣＣＤイメージセンサを含み、撮像部１０２周辺の被写体像を画像データとして得るものである。撮像部１０２で生成される画像データ（以降、撮像画像データと記す）も、記憶部１０１に記憶されている記憶画像データと同様に、静止画の画像データに限られず、動画の画像データであってもよい。撮像部１０２は、さらに、シャッタ手段や光学レンズなどを含んでもよい。
【００１９】
第１の検出部１０３は、記憶画像データから記憶画像データに基づく画像（以降、記憶画像と記す）に含まれる第１の特徴を検出するように構成されている。第１の検出部１０３は、検出した第１の特徴を表示制御部１０５に出力する。
【００２０】
第２の検出部１０４は、撮像部１０２で生成された撮像画像データから撮像画像データに基づく画像（以降、撮像画像と記す）に含まれる第２の特徴を検出するように構成されている。第２の検出部１０４は、検出した第２の特徴を表示制御部１０５に出力する。
【００２１】
表示制御部１０５は、例えば、ＣＰＵ、メモリ、及び、表示部１０７のドライバ（例えば、ＬＣＤドライバ）から構成されている。表示制御部１０５は、後に詳述するように、主に表示部１０７の動作を制御する役割を担っている。また、表示制御部１０５は、デジタルカメラ１００のその他の構成要素の動作も制御する。即ち、表示制御部１０５は、記憶部１０１に記憶されているプログラムを内部のメモリにロードしてＣＰＵで実行することでデジタルカメラ１００全体を制御する、デジタルカメラ１００の制御部としても機能する。
【００２２】
表示指示受付部１０６は、例えば、デジタルカメラ１００の筐体に設けられた撮影モードと表示モードとを切り替えるためのモードダイヤルである。ユーザがモードダイヤルを表示モードに設定することで、表示指示受付部１０６は表示部１０７へ画像を表示させるための表示指示を受け付ける。なお、表示指示受付部１０６は、表示部１０７に重ねて配置されたタッチパネルであってもよく、その場合、ユーザがＧＵＩ画面を表示した表示部１０７を参照しながらタッチ操作により表示モードを切り替えることで、表示指示を受け付けてもよい。
【００２３】
表示部１０７は、例えば、ＬＣＤ（Liquid Crystal Display：液晶ディスプレイ）であり、表示制御部１０５の制御の下、画像やＧＵＩ操作画面などを表示するように構成されている。
【００２４】
図２Ａは、本実施例に係るデジタルカメラに画像を表示するために行われる撮影の様子を示した図である。図２Ｂは、本実施例に係るデジタルカメラに画像が表示されている様子を示した図である。図３は、本実施例に係るデジタルカメラの処理全体のフローチャートである。図４は、本実施例に係るデジタルカメラの表示制御処理部分のフローチャートである。図５Ａ及び図５Ｂは、本実施例に係るデジタルカメラの画像データの構成を説明するための図である。以降では、デジタルカメラ１００の所有者であるユーザＡがデジタルカメラ１００に記憶されている画像をユーザＢに閲覧させる場合を例にして、図２Ａから図５Ｂを参照しながら、本実施例に係るデジタルカメラ１００の動作について説明する。
【００２５】
デジタルカメラ１００の電源がＯＮになると、表示制御部１０５が記憶部１０１に記憶されているプログラムをメモリにロードしてプログラムを実行することにより、図３の処理が開始される。
【００２６】
まず、表示指示受付部１０６がユーザＡからの表示指示を監視する（ステップＳ１）。ユーザによるモードダイヤルの切替やタッチパネル操作により表示指示受付部１０６が表示指示を受け付けると、撮像部１０２がユーザからの撮像指示を監視する（ステップＳ２）。その後、図２Ａに示す状態でユーザＡからの撮影指示を検出すると、撮像部１０２がユーザＢを撮影し撮像画像データを生成し（ステップＳ３）、表示制御部１０５が図４に示す表示制御処理を開始する（ステップＳ５）。
【００２７】
表示制御処理では、ステップＳ３で生成した撮像画像データから、第２の検出部１０４がその撮像画像の被写体であるユーザＢの外観的特徴を第２の特徴として検出し（ステップＳ１１）、表示制御部１０５へ出力する。
【００２８】
ユーザＢの外観的特徴は、例えば、人物検出（顔検出）技術などの既存の技術を用いて撮像画像データを解析し、人物を特定するための特徴量を算出することにより検出することができる。なお、画像データ（撮像画像データ、記憶画像データ）は、図５Ａに示されるように、ヘッダ２とボディ３から構成されるファイル１として管理されているのが通常である。ファイル１のボディ３には、画像を表示するための表示用データが記録されているのに対して、ファイル１のヘッダ２には、例えば、ファイル種別や画像サイズなど表示用データに付随する付随データが記憶されている。ステップＳ１１では、第２の検出部１０４は、撮像画像データの表示用データから特徴量を算出する。
【００２９】
図２Ａでは、被写体が人物（ユーザＢ）である場合を例示したが、被写体は必ずしも人物である必要はない。例えば、被写体の形状、色、模様などといった外観に識別できるような特徴があれば、例えば、犬や猫などのペットが被写体であってもよい。例えば、被写体がペットである場合には、既存のペット検出技術を用いて、ペットを特定するための特徴量を算出することにより、ペットの外観的特徴を検出することができる。
【００３０】
また、表示制御部１０５へ出力される外観的特徴は、算出された特徴量自体であってもよく、または、外観的特徴を示す特徴量と関連付けて予め記憶部１０１に記憶されている被写体の識別情報でもあってもよい。被写体の識別情報を表示制御部１０５へ出力する場合には、第２の検出部１０４は特徴量を算出後、記憶部１０１を参照して特徴量から特定される被写体の識別情報を検索し、検索して得られた被写体の識別情報を表示制御部１０５へ出力する。このような識別情報と特徴量との関係が記録されたデータベースを用いることで、人物やペットなどの生物以外の物品を被写体とした場合にも被写体を特定することが可能となる。
【００３１】
第２の検出部１０４が第２の特徴を検出すると、第１の検出部１０３は、記憶部１０１に記憶画像データが記憶されているか否かを判断する（ステップＳ１３）。記憶画像データがある場合には、第１の検出部１０３は、記憶画像データを１つ取得し（ステップＳ１５）、取得した記憶画像データからその記憶画像の被写体の外観的特徴を第１の特徴として検出し（ステップＳ１７）、表示制御部１０５へ出力する。なお、外観的特徴の検出方法は、ステップＳ１１で行われる方法と同様である。
【００３２】
第１の特徴と第２の特徴を受信した表示制御部１０５は、第１の特徴と第２の特徴を比較して、比較した結果に基づいて、比較に用いられた第１の特徴を含む記憶画像を表示するか否かを判断する（ステップＳ１９、ステップＳ２１）。
【００３３】
記憶画像の被写体と撮像画像の被写体は同一人物であると判断できる場合、つまり、第１の特徴と第２の特徴が一致している場合（特徴量または識別情報が一致している場合）には、表示制御部１０５は記憶画像を表示可能であると判断し、記憶部１０１から取得された第１の特徴を含む記憶画像を表示部１０７に表示させる（ステップＳ２３）。
【００３４】
一方、記憶画像の被写体と撮像画像の被写体は同一人物ではないと判断できる場合、つまり、第１の特徴と第２の特徴が一致していない場合（特徴量または識別情報が一致していない場合）には、表示制御部１０５は記憶画像を表示不可能であると判断し、記憶部１０１から取得された第１の特徴を含む記憶画像を表示部１０７に表示させることなく、記憶部１０１に記憶されている他の記憶画像データに対して同様の処理を繰り返すためにステップＳ１３に戻る。
【００３５】
表示制御部１０５は、記憶画像を表示部１０７に表示させた後、ユーザからの画像切替指示を監視する（ステップＳ２５）。画像切替指示が検出されない場合には、処理を終了する。画像切替指示が検出されると、記憶部１０１に記憶されている他の記憶画像データに対して同様の処理を繰り返すためにステップＳ１３に戻る。
そして、ステップＳ１３で記憶部１０１に記憶されている他の記憶画像データがないと判断されると、処理が終了する。
【００３６】
以上のように、本実施例に係るデジタルカメラ１００では、表示制御部１０５は、表示指示後に生成された撮像画像データから検出された第２の特徴と記憶画像データから検出された第１の特徴とを比較して、特徴が一致した記憶画像のみを表示部１０７に表示させる。つまり、撮像画像の特徴により代表される閲覧時の状況に応じて、表示すべき記憶画像を自動的に選別する。このため、デジタルカメラ１００の所有者であるユーザＡがデジタルカメラ１００に記憶されている画像をユーザＢに閲覧させる場合であれば、図２Ｂに示されるように、記憶部１０１に記憶されている記憶画像データから撮像画像の被写体であるユーザＢが含まれる記憶画像の画像データのみを選別して、ユーザＢが含まれる記憶画像のみを表示部１０７に表示させることができる。
【００３７】
従って、デジタルカメラ１００によれば、画像毎に閲覧制限を付与するなどの事前作業を行うことなく、ユーザＢに見せたくない、または、見せる必要のない画像（例えば、ユーザＢが含まれない画像）が誤って表示される自体を防止することができる。また、ユーザＢに真に見せたい画像であるユーザＢが含まれる画像のみが表示されるため、大量のデジタル画像データから画像を手動で探して表示する場合に比べて、目的の画像を簡単に閲覧させることができる。
【００３８】
また、このような機能は、図２Ａ及び図２Ｂに示されるような所有者以外のユーザに画像を閲覧させる場合の他に、所有者自身が画像を閲覧する場合にも非常に便利な機能である。デジタルカメラ１００では、被写体を撮像することでその被写体を含む画像が表示されることから、例えば、趣味でコレクションしている物品（例えば、貝殻）の画像を閲覧したい場合には、その物品と同様の特徴を有する物品（ここでは、貝殻）を撮像することで、記憶部１０１に記憶されている貝殻の画像のみを簡単に閲覧することができる。
【００３９】
なお、以上では、第１の検出部１０３と第２の検出部１０４がそれぞれファイル１のボディ３（表示用データ）から被写体の外観的特徴を算出して検出する例を示したが、予め記憶画像データを解析して表示用データから算出した特徴量を付随データに記録することで、第１の検出部１０３は、画像ファイル１のヘッダ２（付随データ）から被写体の外観的特徴を検出してもよい。また、予め算出された特徴量は、必ずしも同じファイル１に記録する必要はなく、例えば、図５Ｂに示されるように、表示用データから算出した特徴量を別のファイル４のボディ６に記憶してもよい。その場合、ファイル１のヘッダ２には特徴量が記録されたファイル４の参照情報を記録する。このように、予め特徴量を算出してファイル内に記録することで、第１の検出部１０３が記録画像データから第１の特徴を検出するまでの時間を短縮することができるため、表示指示から表示部１０７に記憶画像が表示されるまでの時間も短縮することができる。
【実施例２】
【００４０】
図６Ａ及び図６Ｂは、本実施例に係るデジタルカメラに画像が表示されている様子を示した図である。図７は、本実施例に係るデジタルカメラの処理全体のフローチャートである。図８は、本実施例に係るデジタルカメラのライブ撮影処理部分のフローチャートである。図９は、本実施例に係るデジタルカメラの表示制御処理部分のフローチャートである。図６Ａから図９を参照しながら、本実施例に係るデジタルカメラ１００ａの動作について説明する。
【００４１】
なお、本実施例に係るデジタルカメラ１００ａの構成は、画像閲覧中のユーザを被写体とするために、図６Ａ及び図６Ｂに示されるように撮像部１０２が表示部１０７と同じ面に設けられている点が、実施例１に係るデジタルカメラ１００の構成とは異なっている。
【００４２】
デジタルカメラ１００ａの電源がＯＮになると、表示制御部１０５が記憶部１０１に記憶されているプログラムをメモリにロードしてプログラムを実行することにより、図７の処理が開始される。そして、表示指示受付部１０６がユーザＡからの表示指示を検出すると（ステップＳ３１）、図８に示すライブ撮影処理（ステップＳ３３）と図９に示す表示制御処理（ステップＳ３５）とが開始される。
【００４３】
ライブ撮像処理が開始されると、図８に示されるように、撮像部１０２が被写体を撮影し撮像画像データを生成する処理（ステップＳ４１）と、第２の検出部１０４がステップＳ４１で生成された撮像画像データから撮像画像の被写体の外観的特徴を検出する処理（ステップＳ４３）とが、閲覧終了指示が検出されるまで繰り返し実行される（ステップＳ４５）。つまり、第２の検出部１０４は、撮像部１０２が繰り返し被写体を撮像している期間、撮像部１０２で撮像画像データが生成される毎に、被写体の外観的特徴を検出し、第２の特徴として表示制御部１０５へ出力する。
【００４４】
一方、表示制御処理では、図９に示されるように、まず第１の検出部１０３が記憶部１０１に記憶画像データが記憶されているか否かを判断する（ステップＳ５１）。記憶画像データがある場合には、第１の検出部１０３は、記憶画像データを１つ取得し（ステップＳ５２）、取得した記憶画像データからその記憶画像の被写体の外観的特徴を第１の特徴として検出して（ステップＳ５３）、表示制御部１０５へ出力する。
【００４５】
第１の特徴と第２の特徴を受信した表示制御部１０５は、ステップＳ５３で検出された記憶画像の被写体の第１の特徴と、ライブ撮影処理により随時更新される撮像画像の被写体の第２の特徴を比較して、比較した結果に基づいて、比較に用いられた第１の特徴を含む記憶画像を表示するか否かを判断する（ステップＳ５５、ステップＳ５７）。ライブ撮影処理により随時更新される記憶画像の被写体と撮像画像の被写体は同一人物であると判断できる場合には、表示制御部１０５は記憶画像を表示部１０７に表示させる（ステップＳ５９）。記憶画像の被写体と撮像画像の被写体は同一人物ではないと判断できる場合には、表示制御部１０５は記憶部１０１に記憶されている他の記憶画像データに対して同様の処理を繰り返すためにステップＳ５１に戻る。
【００４６】
表示制御部１０５は、記憶画像を表示部１０７に表示させた後、ユーザからの画像切替指示を監視し（ステップＳ６１）、画像切替指示が検出されると、記憶部１０１に記憶されている他の記憶画像データに対して同様の処理を繰り返すためにステップＳ５１に戻る。画像切替指示が検出されない場合には、閲覧終了指示が検出されない限り（ステップＳ６３）、ステップＳ５５に戻って上記処理を繰り返す。そして、閲覧終了指示が検出されるか、記憶部１０１に記憶されている他の記憶画像データがなくなると、処理が終了する。
【００４７】
以上のように、本実施例に係るデジタルカメラ１００ａは、撮像部１０２が繰り返し被写体を撮像している期間中、撮像部１０２で撮像画像データが生成される毎に第２の検出部１０４が第２の特徴を検出する。そして、表示制御部１０５が第２の検出部１０４で検出された第２の特徴と第１の検出部１０３で検出された第１の特徴とを繰り返し比較して特徴が一致した記憶画像のみを表示部１０７に表示させる。このため、撮像画像の特徴により代表される閲覧時の状況をほぼリアルタイムで更新しながら、表示すべき記憶画像を自動的に選別することができる。
【００４８】
従って、本実施例に係るデジタルカメラ１００ａによっても、実施例１に係るデジタルカメラ１００と同様の効果を得ることができる。さらに、デジタルカメラ１００ａによれば、図６Ｂに例示されるように、画像表示中に新たな閲覧者（ユーザＤ）が登場した場合であっても、ライブ撮影された撮像画像から閲覧時の状況の変化を検出することができるため、変化した閲覧者に応じて表示すべき記憶画像を自動的に選別することができる。
【実施例３】
【００４９】
図１０は、本実施例に係るデジタルカメラに画像が表示されている様子を示した図である。図１１は、本実施例に係るデジタルカメラのライブ撮影処理部分のフローチャートである。図１０及び図１１を参照しながら、本実施例に係るデジタルカメラ１００ｂの動作について説明する。
【００５０】
なお、本実施例に係るデジタルカメラ１００ｂの構成は、実施例１に係るデジタルカメラ１００の構成と同様である。また、デジタルカメラ１００ｂで実行される処理は、図８に例示されるライブ撮影処理の代わりに、図１１に例示されるライブ撮影処理が行われる点が、実施例２に係るデジタルカメラ１００ａで実行される処理と異なっている。その他の処理は、実施例２に係るデジタルカメラ１００ａで実行される処理と同様であるので、以降では、ライブ撮影処理についてのみ説明する。
【００５１】
デジタルカメラ１００ｂでは、ライブ撮像処理が開始されると、図１１に示されるように、撮像部１０２が被写体を撮影し撮像画像データを生成する処理（ステップＳ７１）と、第２の検出部１０４が生成された撮像画像データから撮像画像の被写体の外観的特徴を検出する処理（ステップＳ７３）に加えて、表示制御部１０５が撮像画像を表示部１０７にライブビュー表示する処理（ステップＳ７５）が、閲覧終了指示が検出されるまで繰り返し実行される（ステップＳ７７）。
【００５２】
従って、本実施例に係るデジタルカメラ１００ｂによっても、実施例２に係るデジタルカメラ１００ｂと同様の効果が得られる。さらに、デジタルカメラ１００ｂによれば、図１０に例示されるように、ライブビュー画像ＬＶ（撮像画像）とともにライブビュー画像ＬＶに含まれる被写体（ここでは、ユーザＢ）が含まれる記憶画像ＭＶを表示部１０７に表示することができる。なお、デジタルカメラ１００ｂでも、実施例２に係るデジタルカメラ１００ａと同様に、撮像部１０２が表示部１０７側に設けられてもよい。
【実施例４】
【００５３】
図１２は、本実施例に係るデジタルカメラの表示制御処理部分のフローチャートである。以下、図１２を参照しながら、本実施例に係るデジタルカメラの動作について説明する。
【００５４】
なお、本実施例に係るデジタルカメラの構成は、実施例１に係るデジタルカメラ１００の構成と同様である。また、本実施例に係るデジタルカメラで実行される処理は、図４に例示される表示制御処理の代わりに、図１２に例示される表示制御処理が行われる点が、実施例１に係るデジタルカメラ１００で実行される処理と異なっている。その他の処理は、実施例１に係るデジタルカメラ１００で実行される処理と同様であるので、以降では、表示制御処理についてのみ説明する。
【００５５】
本実施例に係るデジタルカメラでは、表示制御処理が開始されると、図１２に示されるように、第２の検出部１０４が図３のステップＳ３で生成した撮像画像データからその撮像画像の被写体の外観的特徴とその撮像画像の撮影シーンとを第２の特徴として検出し（ステップＳ８１、ステップＳ８３）、表示制御部１０５へ出力する。なお、撮影シーンは、被写体の外観的特徴と同様に、例えば、撮像画像データを解析して撮影シーンを特定するための特徴量を算出することにより検出してもよい。また、第２の検出部１０４は特徴量を算出後、記憶部１０１に記憶されているデータベースを参照して特徴量から特定される撮影シーンの識別情報を検索することにより検出してもよい。
【００５６】
第２の検出部１０４が第２の特徴を検出すると、第１の検出部１０３は、記憶部１０１に記憶画像データが記憶されているか否かを判断する（ステップＳ８５）。記憶画像データがある場合には、第１の検出部１０３は、記憶画像データを１つ取得し（ステップＳ８７）、取得した記憶画像データからその記憶画像の被写体の外観的特徴とその記憶画像の撮影シーンとを第１の特徴として検出し（ステップＳ８９、ステップＳ９１）、表示制御部１０５へ出力する。なお、外観的特徴及び撮影シーンの検出方法は、ステップＳ８１及びステップＳ８３で行われる方法と同様である。
【００５７】
第１の特徴と第２の特徴を受信した表示制御部１０５は、第１の特徴と第２の特徴を比較して、比較した結果に基づいて、比較に用いられた第１の特徴を含む記憶画像を表示するか否かを判断する（ステップＳ９３、ステップＳ９５）。
【００５８】
記憶画像の被写体と撮像画像の被写体は同一人物であり、且つ、撮影シーンが同一であると判断できる場合、つまり、第１の特徴と第２の特徴が一致している場合（特徴量または識別情報が一致している場合）には、表示制御部１０５は記憶部１０１から取得された第１の特徴を含む記憶画像を表示部１０７に表示させる（ステップＳ９７）。記憶画像の被写体と撮像画像の被写体は同一人物ではないか撮影シーンが同一でないと判断できる場合、つまり、第１の特徴と第２の特徴が一致していない場合（特徴量または識別情報が一致していない場合）には、表示制御部１０５は記憶部１０１から取得された第１の特徴を含む記憶画像を表示部１０７に表示させることなく、記憶部１０１に記憶されている他の記憶画像データに対して同様の処理を繰り返すためにステップＳ８５に戻る。
【００５９】
表示制御部１０５は、記憶画像を表示部１０７に表示させた後、ユーザからの画像切替指示を監視し（ステップＳ９９）。画像切替指示が検出されない場合には、処理を終了する。画像切替指示が検出されると、記憶部１０１に記憶されている他の記憶画像データに対して同様の処理を繰り返すためにステップＳ８５に戻る。
そして、ステップＳ８５で記憶部１０１に記憶されている他の記憶画像データがないと判断されると、処理が終了する。
【００６０】
以上のように、本実施例に係るデジタルカメラでは、表示制御部１０５は、撮像画像と記憶画像の被写体の外観的特徴に加えて撮影シーンについても比較して、それらの特徴が一致した記憶画像のみを表示部１０７に表示させる。このため、海で画像を閲覧する場合であれば、海で閲覧者を撮影した画像のみが表示され、運動会で画像を閲覧する場合であれば、運動会で閲覧者を撮影した画像のみが表示される。
【００６１】
従って、本実施例に係るデジタルカメラによっても、実施例１に係るデジタルカメラ１００と同様の効果を得ることができる。さらに、本実施例に係るデジタルカメラによれば、撮影シーンが同じ画像のみが表示されるため、旅行先やイベント会場で画像を閲覧する際に、過去の旅行やイベントの画像を容易に検索することができる。また、この場合、同じ撮影シーンで閲覧しない限りその撮影シーンの画像が表示されないことになるため、画像を閲覧する行為自体の価値の向上を図ることができる。これは、デジタルカメラのユーザはアナログカメラとは異なり撮影した画像をいつでもどこでも見ることが出来るといったメリットを享受している一方で、簡単に画像を閲覧することができるために撮影した画像を閲覧すること自体に喜びや感動を覚えなくなってしまっていることに関連している。本実施例に係るデジタルカメラによれば、敢えて画像を閲覧できる状況を制限することで、閲覧することにメモリアル的な要素を付加して閲覧行為自体の価値を向上させるといった、写真閲覧の新しい楽しみ方が提案することができる。
【００６２】
なお、本実施例では、被写体の外観的特徴に加えて撮影シーンを検出するデジタルカメラの処理を例示したが、外観的特徴を検出することなく、撮影シーンのみ検出して比較するように本実施例に係るデジタルカメラを変形してもよい。または、外観的特徴と撮影シーンの両方を検出して、いずれか一方が一致している場合にのみ記憶画像を表示するように本実施例に係るデジタルカメラを変形してもよい。また、実施例２や実施例３に係るデジタルカメラと同様に、ライブ撮影した撮像画像の特徴を記憶画像の特徴と繰り返し比較して表示制御を行うように本実施例に係るデジタルカメラを変形してもよい。
【実施例５】
【００６３】
図１３は、本実施例に係るデジタルカメラの表示制御処理部分のフローチャートである。図１４は、表情情報と表情分類の関係を示した図であり、図１５は、脈拍数と脈拍分類の関係を示した図である。図１６は、本実施例に係るデジタルカメラに記憶された記憶画像データに付与された感性タグを例示した図である。図１７は、表情分類と感性タグの関係を示した図であり、図１８は、脈拍分類と感性タグの関係を示した図であり、図１９は、表情分類と脈拍分類と感性タグの関係を示した図である。図２０は、本実施例に係るデジタルカメラの感性タグ付与処理のフローチャートである。以下、図１３から図２０を参照しながら、本実施例に係るデジタルカメラの動作について説明する。
【００６４】
なお、本実施例に係るデジタルカメラの構成は、実施例１に係るデジタルカメラ１００の構成と同様である。また、本実施例に係るデジタルカメラで実行される処理は、図４に例示される表示制御処理の代わりに、図１３に例示される表示制御処理が行われる点が、実施例１に係るデジタルカメラ１００で実行される処理と異なっている。その他の処理は、実施例１に係るデジタルカメラ１００で実行される処理と同様であるので、以降では、表示制御処理についてのみ説明する。
【００６５】
本実施例に係るデジタルカメラでは、表示制御処理が開始されると、図１３に示されるように、第２の検出部１０４が図３のステップＳ３で生成した撮像画像データからその撮像画像の被写体の外観的特徴とその撮像画像の被写体の精神状態とを第２の特徴として検出し（ステップＳ１０１、ステップＳ１０３）、表示制御部１０５へ出力する。
【００６６】
被写体の精神状態の検出処理についてより詳細に説明すると、第２の検出部１０４は、まず、撮像画像データから撮像画像に含まれる被写体の生体情報を検出する。ここで、被写体の生体情報とは、例えば、被写体の脈拍数、呼吸数、または、表情情報であり、第２の検出部１０４は、被写体の脈拍数、呼吸数、または、表情情報のうちの少なくとも一つを被写体の生体情報として検出する。撮像画像データから脈拍数または呼吸数を検出する場合には、例えば、肉眼では認識できない顔の皮膚の微妙な色の変化から脈拍数をキャッチし判定する技術や胸が上下する動きから呼吸数を判定する技術などの既知の技術が用いられる。また、撮像画像データから表情情報を検出する場合には、例えば、眉、目、口などの表情の特徴を現す顔器官を自動抽出し、そこから算出された特徴量から表情情報を検出する既知の技術が用いられる。生体情報が検出されると、第２の検出部１０４は、さらに、検出された生体情報に基づいて撮像画像に含まれる被写体の精神状態を示す第２の特徴を検出する。例えば、検出された生体情報が表情情報である場合には、図１４に示されるような、表情情報と被写体の精神状態を示す表情分類（例えば、喜、怒、悲、笑など）との関係を規定した記憶部１０１に記憶されているデータベースを参照することで、被写体の精神状態を検出する。また、検出された生体情報が脈拍数である場合には、図１５に示されるような、脈拍数と被写体の精神状態を示すである脈拍分類との関係を規定した記憶部１０１に記憶されているデータベースを参照することで、被写体の精神状態を検出する。なお、図１４及び図１５に示す関係は例示であり、分類のパターンの数は任意に変更し得る。
【００６７】
第２の検出部１０４が第２の特徴を検出すると、第１の検出部１０３は、記憶部１０１に記憶画像データが記憶されているか否かを判断する（ステップＳ１０５）。記憶画像データがある場合には、第１の検出部１０３は、記憶画像データを１つ取得し（ステップＳ１０７）、取得した記憶画像データからその記憶画像の被写体の外観的特徴とその記憶画像が視覚的に周囲に与える印象とを第１の特徴として検出し（ステップＳ１０８、ステップＳ１０９）、表示制御部１０５へ出力する。
【００６８】
なお、周囲に与える印象は、図１６に示されるように、予め記憶画像データに付与された感性タグ（例えば、柔らかい、明るい、爽やかなど）を参照することで検出することができる。なお、感性タグは、画像の閲覧を開始する前に、予め図２０に示される感性タグの付与処理を実行し、記憶部１０１に記憶された記憶画像データが順次取得され（ステップＳ１２１、ステップＳ１２３）、周囲に与える印象に関する特徴量が算出され（ステップＳ１２５）、算出した特徴量に対応する感性タグを記憶画像データの付随データとしてファイルのヘッダに記録することで、付与される（ステップＳ１２７）。
【００６９】
第１の特徴と第２の特徴を受信した表示制御部１０５は、第１の特徴と第２の特徴を比較して、比較した結果に基づいて、比較に用いられた第１の特徴を含む記憶画像を表示するか否かを判断する（ステップＳ１１１、ステップＳ１１３）。なお、第１の特徴と第２の特徴の比較のうちの撮像画像の被写体の精神状態と記憶画像が視覚的に周囲に与える印象との比較は、まず、撮像画像の被写体の精神状態と感性タグとの関係が規定されたデータベースを参照して精神状態に適した感性タグを取得し、その後、取得した感性タグと記憶画像に付与された感性タグとを比較することにより行われる。例えば、撮像画像の被写体の精神状態として表情分類が検出される場合には、図１７に示されるような、表情分類と感性タグとの関係を規定した記憶部１０１に記憶されているデータベースが参照される。撮像画像の被写体の精神状態として脈拍分類が検出される場合には、図１８に示されるような、脈拍分類と感性タグとの関係を規定した記憶部１０１に記憶されているデータベースが参照される。また、撮像画像の被写体の精神状態として表情分類と脈拍分類の両方が検出される場合には、図１９に示されるような、表情分類と脈拍分類と感性タグとの関係を規定した記憶部１０１に記憶されているデータベースが参照されてもよい。
【００７０】
記憶画像の被写体と撮像画像の被写体が同一人物であり、且つ、記憶画像が視覚的に周囲に与える印象が撮像画像の被写体の精神状態に適していると判断できる場合、つまり、第１の特徴と第２の特徴が一致している場合には、表示制御部１０５は記憶部１０１から取得された第１の特徴を含む記憶画像を表示部１０７に表示させる（ステップＳ１１５）。記憶画像の被写体と撮像画像の被写体が同一人物ではないか記憶画像が視覚的に周囲に与える印象が撮像画像の被写体の精神状態に適していないと判断できる場合、つまり、第１の特徴と第２の特徴が一致していない場合には、表示制御部１０５は記憶部１０１から取得された第１の特徴を含む記憶画像を表示部１０７に表示させることなく、記憶部１０１に記憶されている他の記憶画像データに対して同様の処理を繰り返すためにステップＳ１０５に戻る。
【００７１】
表示制御部１０５は、記憶画像を表示部１０７に表示させた後、ユーザからの画像切替指示を監視し（ステップＳ１１７）。画像切替指示が検出されない場合には、処理を終了する。画像切替指示が検出されると、記憶部１０１に記憶されている他の記憶画像データに対して同様の処理を繰り返すためにステップＳ１０５に戻る。
そして、ステップＳ１０５で記憶部１０１に記憶されている他の記憶画像データがないと判断されると、処理が終了する。
【００７２】
以上のように、本実施例に係るデジタルカメラでは、表示制御部１０５は、撮像画像と記憶画像の被写体の外観的特徴の比較に加えて、撮像画像の被写体の精神状態と記憶画像が周囲に与える印象とを比較して、それらの特徴が一致した記憶画像のみを表示部１０７に表示させる。
【００７３】
従って、本実施例に係るデジタルカメラによっても、実施例１に係るデジタルカメラ１００と同様の効果を得ることができる。さらに、例えば、被写体がイライラしていると判断される場合であれば、被写体がリラックスするような画像を表示するなど、閲覧者である被写体の精神状態に適した印象を与える画像のみを表示することができる。
【００７４】
なお、本実施例では、被写体の外観的特徴に加えて精神状態と与える印象を検出するデジタルカメラの処理を例示したが、外観的特徴を検出することなく、精神状態と与える印象のみ検出して比較するように本実施例に係るデジタルカメラを変形してもよい。または、外観的特徴に加えて精神状態と与える印象を検出して、外観的特徴が一致している場合か、または、与える印象が精神状態に適している場合にのみ記憶画像を表示するように本実施例に係るデジタルカメラを変形してもよい。また、実施例２や実施例３に係るデジタルカメラと同様に、ライブ撮影した撮像画像の特徴を記憶画像の特徴と繰り返し比較して表示制御を行うように本実施例に係るデジタルカメラを変形してもよい。
【００７５】
また、本実施例では、被写体の精神状態を検出するために、第２の検出部１０４が撮像画像データから被写体の生体情報を算出し、被写体の精神状態を第２の特徴として表示制御部１０５に出力する例を示したが、算出した被写体の生体報自体を第２の特徴として出力してもよい。この場合、記憶画像データには、図１６に例示されるような感性タグの代わりに、生体情報により規定されるその記憶画像の表示条件（例えば、数値範囲など）が付随データとして含まれていることが望ましい。本実施例に係るデジタルカメラをこのように変形しても、同様の効果を得ることができる。
【実施例６】
【００７６】
図２１は、本実施例に係るデジタルカメラの構成を示す図である。図２１を参照しながら、本実施例に係るデジタルカメラ２００の構成について説明する。
【００７７】
図２１に例示されるデジタルカメラ２００は、第２の検出部１０４で検出された第２の特徴に応じて記憶画像データを加工する画像処理部２０１を備えている点が、実施例１に係るデジタルカメラ１００と異なっている。その他の構成は、実施例１に係るデジタルカメラ１００と同様である。
【００７８】
本実施例に係るデジタルカメラ２００では、表示制御部１０５は、予め第２の特徴（被写体の外観的特徴、撮影シーン、生体情報、精神状態など）に応じて決定されている処理パラメータを用いて画像処理部２０１で記憶画像データを加工してから、その加工された記憶画像データに基づいて記憶画像を表示部１０７に表示させる。
【００７９】
従って、本実施例に係るデジタルカメラによれば、閲覧時の状況に応じて適切に選別された記憶画像を撮影時の状況に応じて適切に加工して表示することができる。例えば、第２の検出部で検出される第２の特徴が撮像画像に含まれる被写体の精神状態や生体情報である場合であれば、画像処理部２０１で被写体の精神状態や生体情報に応じて記憶画像の彩度を調整することで、被写体の精神状態により適した記憶画像を表示することができる。また、第２の検出部で検出される第２の特徴が撮影シーンである場合であれば、画像処理部２０１で撮影画像の写っている天気に応じて記憶画像のトーンを調整することで、表示部１０７に表示された記憶画像を見やすくすることができる。
【００８０】
なお、実施例２や実施例３に係るデジタルカメラと同様に、ライブ撮影した撮像画像の特徴を記憶画像の特徴と繰り返し比較して表示制御を行うように本実施例に係るデジタルカメラを変形してもよい。
【実施例７】
【００８１】
図２２は、本実施例に係るデジタルカメラの構成を示す図である。図２３は、本実施例に係るデジタルカメラの処理全体のフローチャートである。図２４は、本実施例に係るデジタルカメラの表示制御処理部分のフローチャートである。まず、図２２を参照しながら、本実施例に係るデジタルカメラ３００の構成について説明し、その後、図２３及び図２４を参照しながら、デジタルカメラ３００の動作について説明する。
【００８２】
図２２に例示されるデジタルカメラ３００は、撮像部１０２が被写体を撮像して撮像画像データを生成するときの環境（以降、撮像環境と記す）に関するデータを取得する撮像環境取得部として機能するデータ取得部３０１と、記憶画像データから付随データとして記憶部１０１に記憶されている撮像環境に関するデータを検出する第３の検出部３０２を含む点が、実施例１に係るデジタルカメラ１００と異なっている。その他の構成は、実施例１に係るデジタルカメラ１００と同様である。
【００８３】
デジタルカメラ３００の電源がＯＮになると、表示制御部１０５が記憶部１０１に記憶されているプログラムをメモリにロードしてプログラムを実行することにより、図２３の処理が開始される。そして、表示指示受付部１０６がユーザからの表示指示を検出すると（ステップＳ１３１）、撮像部１０２がユーザからの撮像指示を監視し（ステップＳ１３２）、ユーザからの撮影指示を検出すると、撮像部１０２が被写体を撮影し撮像画像データを生成する（ステップＳ１３３）。
【００８４】
その後、データ取得部３０１は、ステップＳ１３３で撮像部１０２が撮像画像データを生成するときの撮像環境に関するデータを取得し（ステップＳ１３５）、表示制御部１０５に出力する。取得されるデータは、撮像画像データを生成するときの撮像日時、撮像位置、音声、または、気象のうちの少なくとも１つに関するデータを含んでいる。撮像処理（ステップＳ１３３）とデータ取得処理（ステップＳ１３５）が終了すると、表示制御部１０５が図２４に示す表示制御処理を開始する（ステップＳ１３７）。
【００８５】
表示制御処理では、第２の検出部１０４がステップＳ１３３で生成した撮像画像データから、その撮像画像の被写体の外観的特徴を第２の特徴として検出し（ステップＳ１４１）、表示制御部１０５へ出力する。
【００８６】
第２の検出部１０４が第２の特徴を検出すると、第１の検出部１０３は、記憶部１０１に記憶画像データが記憶されているか否かを判断する（ステップＳ１４３）。記憶画像データがある場合には、第１の検出部１０３は、記憶画像データを１つ取得し（ステップＳ１４５）、取得した記憶画像データからその記憶画像の被写体の外観的特徴を第１の特徴として検出し（ステップＳ１４７）、表示制御部１０５へ出力する。第３の検出部３０２は、記憶画像データから付随データとして記憶部１０１に記憶されている撮像環境に関するデータを検出し（ステップＳ１４９）、表示制御部１０５へ出力する。
【００８７】
なお、第３の検出部３０２で記憶画像データから検出された撮像環境に関するデータは、例えば、従来からカメラに内蔵されている機能で取得されるカメラ環境情報（記憶画像データを生成するときの日時情報、位置情報、音声など）や、外部環境情報（記憶画像データを生成するときの気温、気圧、日照、湿度など）であり、記憶画像データを生成するときの撮像日時、撮像位置、音声、または、気象のうちの少なくとも１つに関するデータであることが望ましい。または、撮像環境により規定される記憶画像の表示条件であってもよい。
【００８８】
第１の特徴、第２の特徴、データ取得部３０１で取得された撮像環境に関するデータ、及び、第３の検出部３０２で記憶画像データから検出された撮像環境に関するデータ（記憶画像の表示条件）を受信した表示制御部１０５は、記憶画像を表示部１０７に表示させるか否かを判断する（ステップＳ１５１、ステップＳ１５３）。より具体的には、まず、第１の特徴と第２の特徴を比較して、第１の特徴と第２の特徴が一致しているか否かを判断する。第１の特徴と第２の特徴が一致している場合には、さらに、データ取得部３０１で取得された撮像環境に関するデータと第３の検出部３０２で記憶画像データから検出された撮像環境に関するデータに基づいて、記憶画像を前記表示部に表示させるか否かを制御する。
【００８９】
例えば、データ取得部３０１で取得された撮像環境に関するデータが撮像画像データを生成した日時（第１の撮像日時）に関するデータであり、第３の検出部３０２で記憶画像データから検出された撮像環境に関するデータが記憶画像データに含まれる被写体を撮像した日時（第２の撮像日時）に関するデータであれば、表示制御部１０５は、第１の撮像日時と第２の撮像日時を比較して、第１の撮像日時と第２の撮像日時との差分が所定範囲内にある場合に、記憶画像データに基づく記憶画像を表示部１０７に表示させる（ステップＳ１５５）。または、第１の撮像日時と第２の撮像日時とのの月日部分の差分が所定範囲内にある場合に、記憶画像データに基づく記憶画像を表示部１０７に表示させてもよい。
【００９０】
また、データ取得部３０１で取得された撮像環境に関するデータが撮像部１０２が撮像画像データを生成するために被写体を撮像した位置（第１の撮像位置）に関するデータであり、第３の検出部３０２で記憶画像データから検出された撮像環境に関するデータが記憶画像データに含まれる被写体を撮像した位置（第２の撮像位置）に関するデータであれば、表示制御部１０５は、第１の撮像位置と第２の撮像位置を比較して、第１の撮像位置と第２の撮像位置との差分が所定範囲内にある場合には、記憶画像データに基づく記憶画像を表示部１０７に表示させてもよい（ステップＳ１５５）。
【００９１】
さらに、第３の検出部３０２で記憶画像データから検出された撮像環境に関するデータが撮像環境により規定される記憶画像の表示条件であれば、表示制御部１０５は、データ取得部３０１で取得された撮像環境に関するデータがその表示条件を満たしている場合に、記憶画像データに基づく記憶画像を表示部１０７に表示させてもよい（ステップＳ１５５）。
【００９２】
表示制御部１０５は、記憶画像を表示部１０７に表示させた後、ユーザからの画像切替指示を監視し（ステップＳ１５７）。画像切替指示が検出されない場合には、処理を終了する。画像切替指示が検出されると、記憶部１０１に記憶されている他の記憶画像データに対して同様の処理を繰り返すためにステップＳ１４３に戻る。なお、表示制御部１０５がステップＳ１５３で表示不可と判断した場合も、記憶部１０１に記憶されている他の記憶画像データに対して同様の処理を繰り返すためにステップＳ１４３に戻る。
そして、ステップＳ１４３で記憶部１０１に記憶されている他の記憶画像データがないと判断されると、処理が終了する。
【００９３】
以上のように、本実施例に係るデジタルカメラ３００は、撮像画像データから閲覧時の状況（第２の特徴）を取得することに加えて、データ取得部３０１から画像データを用いることなく閲覧時の状況（例えば、撮像環境に関するデータ）を取得する。
【００９４】
従って、本実施例に係るデジタルカメラ３００によれば、表示制御部１０５がこれらの情報を表示制御に用いることで、閲覧時の状況に応じてより適切に記憶画像を選別して表示することができる。
【００９５】
なお、本実施例では、データ取得部３０１が撮像環境に関するデータを取得する撮像環境取得部として機能する例を示したが、データ取得部３０１は、撮像画像に含まれる被写体の生体情報を取得する生体情報取得部として機能しても良い。生体情報としては、例えば、脈拍数、体温、血圧、発汗等がある。データ取得部３０１としては、すでに実用化されている輪型やベンダント型などの小型生体センシング装置を採用することが可能であり、例えば、デジタルカメラ３００の持ち手部分に埋め込んでもよい。この場合、第３の検出部３０２は、付随データとして記憶部１０１に記憶されている、記憶画像に含まれる被写体の生体情報、または、生体情報により規定される記憶画像の表示条件、を検出するように構成され、表示制御部１０５が実施例５で上述したような判定を行うことで記憶画像の表示を制御してもよい。また、実施例２や実施例３に係るデジタルカメラと同様に、ライブ撮影した撮像画像の特徴を記憶画像の特徴と繰り返し比較して表示制御を行うように本実施例に係るデジタルカメラ３００を変形してもよい。
【実施例８】
【００９６】
図２５は、本実施例に係るデジタルカメラの構成を示す図である。図２５を参照しながら、本実施例に係るデジタルカメラ４００の構成について説明する。
【００９７】
図２５に例示されるデジタルカメラ４００は、データ取得部３０１で取得されたデータ（例えば、撮像環境に関するデータ）に応じて、記憶画像データを加工する画像処理部４０１を備えている点が、実施例７に係るデジタルカメラ３００と異なっている。その他の構成は、実施例７に係るデジタルカメラ３００と同様である。
【００９８】
本実施例に係るデジタルカメラ４００では、表示制御部１０５は、画像処理部４０１で予め撮像環境に関するデータに応じて決定されている処理パラメータを用いて記憶画像データを加工してから、その加工された記憶画像データに基づいて記憶画像を表示部１０７に表示させる。
【００９９】
従って、本実施例に係るデジタルカメラ４００によれば、閲覧時の状況に応じて適切に選別された記憶画像を撮影時の状況に応じて適切に加工して表示することができる。例えば、データ取得部３０１及び第３の検出部３０２で取得された撮像環境に関するデータが撮像日時である場合であれば、画像処理部４０１で古い記憶画像には古さを強調する加工を施すことで、記憶画像の古さを演出することができる。
【０１００】
なお、実施例２や実施例３に係るデジタルカメラと同様に、ライブ撮影した撮像画像の特徴を記憶画像の特徴と繰り返し比較して表示制御を行うように本実施例に係るデジタルカメラ４００を変形してもよい。
【実施例９】
【０１０１】
図２６は、本実施例に係るデジタルカメラの表示制御処理部分のフローチャートである。図２７は、本実施例に係るデジタルカメラの閲覧制限フラグ付与処理のフローチャートである。図２６及び図２７を参照しながら、本実施例に係るデジタルカメラの動作について説明する。
【０１０２】
なお、本実施例に係るデジタルカメラの構成は、実施例１に係るデジタルカメラ１００の構成と同様である。また、本実施例に係るデジタルカメラで実行される処理は、図４に例示される表示制御処理の代わりに、図２６に例示される表示制御処理が行われる点が、実施例１に係るデジタルカメラ１００で実行される処理と異なっている。その他の処理は、実施例１に係るデジタルカメラ１００で実行される処理と同様であるので、以降では、表示制御処理についてのみ説明する。
【０１０３】
本実施例に係るデジタルカメラでは、表示制御処理が開始されると、図２６に示されるように、第２の検出部１０４が図３のステップＳ３で生成した撮像画像データからその撮像画像の被写体の外観的特徴を第２の特徴として検出し（ステップＳ１６１）、表示制御部１０５へ出力する。
【０１０４】
第２の検出部１０４が第２の特徴を検出すると、第１の検出部１０３は、記憶部１０１に記憶画像データが記憶されているか否かを判断する（ステップＳ１６３）。記憶画像データがある場合には、第１の検出部１０３は、記憶画像データを１つ取得し（ステップＳ１６５）、さらに、取得した記憶画像データが表示制御の対象か否かを判断する（ステップＳ１６７）。より詳細には、記憶画像データに表示制御の対象であることを示す閲覧制限フラグが付与されているか否かにより判断する。
【０１０５】
なお、記憶画像データは、表示制御部１０５による表示制御の対象か否かを示す制御情報である閲覧制限フラグを付随データとして含んでいる。閲覧制限フラグの付与は、例えば、図２７に示すように、記憶画像を撮影するときに行われてもよい。デジタルカメラに閲覧制限フラグを付与する設定がされている状態で、撮影指示を受けて被写体を撮影した後（ステップＳ１８１、ステップＳ１８３）であって記憶画像データを記憶部１０１に記憶させる前に（ステップＳ１８７）、閲覧制限フラグを付随データとして付与する（ステップＳ１８５）。
【０１０６】
閲覧制限フラグが付与されている場合には、表示制御部１０５は、表示制御の対象であると判断して、ステップＳ１６６５で取得した記憶画像データからその記憶画像の被写体の外観的特徴を第１の特徴として検出し（ステップＳ１６９）、表示制御部１０５へ出力する。その後、第１の特徴と第２の特徴を受信した表示制御部１０５が、第１の特徴と第２の特徴を比較して（ステップＳ１７１）、比較した結果に基づいて比較に用いられた第１の特徴を含む記憶画像を表示するか否かを判断し（ステップＳ１７３）、表示可能であると判断した場合には、記憶画像を表示部１０７に表示させる（ステップＳ１７５）。
一方、閲覧制限フラグが付与されていない場合には、表示制御の対象外であると判断し、無条件で記憶画像を表示する（Ｓ１７５）。
【０１０７】
表示制御部１０５は、記憶画像を表示部１０７に表示させた後、ユーザからの画像切替指示を監視し（ステップＳ１７７）。画像切替指示が検出されない場合には、処理を終了する。画像切替指示が検出されると、記憶部１０１に記憶されている他の記憶画像データに対して同様の処理を繰り返すためにステップＳ１６３に戻る。なお、表示制御部１０５がステップＳ１７３で表示不可と判断した場合も、記憶部１０１に記憶されている他の記憶画像データに対して同様の処理を繰り返すためにステップＳ１６３に戻る。
そして、ステップＳ１６３で記憶部１０１に記憶されている他の記憶画像データがないと判断されると、処理が終了する。
【０１０８】
以上のように、本実施例に係るデジタルカメラでは、予め記憶画像データに閲覧制限フラグを付与しておくことで、閲覧制限フラグが付与された記憶画像データを表示制御部１０５による表示制御の対象外になる。従って、本実施例に係るデジタルカメラによれば、閲覧制限フラグを用いることで、表示制御対象の記憶画像データを、ユーザが任意に設定することができる。
【０１０９】
なお、本実施例では、記憶画像データに付与された制御情報に基づいて表示制御部１０５による表示制御の対象でないと判断した場合には、無条件でその記憶画像を表示する例を示したが、無条件で非表示にしてもよい。また、図２７では、本実施例に係るデジタルカメラでの画像生成直後に閲覧制限フラグを付与する例を示したが、閲覧制限フラグは必ずしも画像生成時に行われる必要はなく、また、本実施例に係るデジタルカメラ以外の装置（例えば、パーソナルコンピュータ）で閲覧制限フラグを付与する処理が行われてもよい。また、実施例２や実施例３に係るデジタルカメラと同様に、ライブ撮影した撮像画像の特徴を記憶画像の特徴と繰り返し比較して表示制御を行うように本実施例に係るデジタルカメラ３００を変形してもよい。
【実施例１０】
【０１１０】
図２８は、本実施例に係るデジタルカメラの構成を示す図である。図２８を参照しながら、本実施例に係るデジタルカメラ５００の構成について説明する。
【０１１１】
図２８に例示されるデジタルカメラ５００は、記憶部１０１の代わりに画像データを取得する画像取得部５０１を備えている点が、実施例１に係るデジタルカメラ１００と異なっている。その他の構成は、実施例１に係るデジタルカメラ１００と同様である。
【０１１２】
画像取得部５０１は、例えば、ネットワークを介して外部の機器から画像データを受信する通信インターフェースであってもよく、または、実施例１に係る記憶部１０１と同様の画像データを記憶する記憶部であってもよい。
【０１１３】
本実施例に係るデジタルカメラ５００によっても、実施例１に係るデジタルカメラ１００と同様の効果を得ることができる。なお、本実施例に係るデジタルカメラ５００は、上述した任意の実施例に係るデジタルカメラの記憶部１０１を画像取得部５０１に置き換えて構成してもよい。
【０１１４】
上述した実施例では、画像表示装置の一例としてデジタルカメラを例示したが、本発明に係る画像表示装置は、デジタルカメラに限られない。撮像部を備えた画像表示装置であればよいため、カメラ機能付きの携帯電話、ノートパソコン、タブレット端末などであってもよい。また、上述した実施例は、発明の理解を容易にするために示したものであり、本発明はこれらの実施例に限定されるものではない。本発明に係る画像表示装置は、特許請求の範囲に規定された本発明の思想を逸脱しない範囲において、さまざまな変形、変更が可能である。
【符号の説明】
【０１１５】
１、４・・・ファイル
２、５・・・ヘッダ
３、６・・・ボディ
１００、１００ａ、１００ｂ、２００、３００、４００、５００・・・デジタルカメラ
１０１・・・記憶部
１０２・・・撮像部
１０３・・・第１の検出部
１０４・・・第２の検出部
１０５・・・表示制御部
１０６・・・表示指示受付部
１０７・・・表示部
２０１、４０１・・・画像処理部
３０１・・・データ取得部
３０２・・・第３の検出部
５０１・・・画像取得部
【図１】
2014036344.tif 000003
【図３】
2014036344.tif 000004
【図４】
2014036344.tif 000005
【図５Ａ】
2014036344.tif 000006
【図５Ｂ】
2014036344.tif 000007
【図７】
2014036344.tif 000008
【図８】
2014036344.tif 000009
【図９】
2014036344.tif 000010
【図１１】
2014036344.tif 000011
【図１２】
2014036344.tif 000012
【図１３】
2014036344.tif 000013
【図１４】
2014036344.tif 000014
【図１５】
2014036344.tif 000015
【図１６】
2014036344.tif 000016
【図１７】
2014036344.tif 000017
【図１８】
2014036344.tif 000018
【図１９】
2014036344.tif 000019
【図２０】
2014036344.tif 000020
【図２１】
2014036344.tif 000021
【図２２】
2014036344.tif 000022
【図２３】
2014036344.tif 000023
【図２４】
2014036344.tif 000024
【図２５】
2014036344.tif 000025
【図２６】
2014036344.tif 000026
【図２７】
2014036344.tif 000027
【図２８】
2014036344.tif 000028
【図２Ａ】
2014036344.tif 000029
【図２Ｂ】
2014036344.tif 000030
【図６Ａ】
2014036344.tif 000031
【図６Ｂ】
2014036344.tif 000032
【図１０】
2014036344.tif 000033